(57)【要約】【課題】発光手段の消費電力が少なく且つ発光手段により施療装置本体の操作手段の操作状態を視覚的に確認できる施療装置を提供すること。【解決手段】施療装置本体（マッサージ装置本体１）と、前記施療装置本体（マッサージ装置本体１）を操作するための操作手段（スイッチ１２，１５，２１〜２３，ボリュームＶＲ）と、前記操作手段（スイッチ１２，２１〜２３，ボリュームＶＲ）の操作状態を報知する発光手段（ＬＥＤ２５〜３０）と、前記操作手段（スイッチ１２，１５，２１〜２３，ボリュームＶＲ）の操作状態に応じて前記発光手段（ＬＥＤ２５〜３０）の発光制御を行う制御手段（制御回路３１）を有する。しかも、前記制御手段（制御回路３１）は、前記操作手段（スイッチ１２，１５，２１〜２３，ボリュームＶＲ）の操作状態に対応して前記発光手段（ＬＥＤ２５〜３０）の明るさを変化させるようになっている。【選択図】  図４
2006212150.tif 000002
【特許請求の範囲】
【請求項１】
施療装置本体と、前記施療装置本体を操作するための操作手段と、前記操作手段の操作状態を報知する発光手段と、前記操作手段の操作状態に応じて前記発光手段の発光制御を行う制御手段を有する施療装置であって、
前記制御手段は、前記操作手段の操作状態に対応して前記発光手段の明るさを変化させることを特徴とする施療装置。
【請求項２】
前記制御手段は、前記操作手段であるスイッチの操作に伴う前記施療装置本体による施療動作が強いときには前記発光手段を明るく発光させ、前記スイッチの操作に伴う前記施療装置本体による施療動作が弱いときには前記発光手段を暗く発光させることを特徴とする請求項１に記載の施療装置。
【請求項３】
少なくとも前記操作手段，前記発光手段はリモコンに設けられ、前記制御手段は前記発光手段が発光している状態において前記リモコンが施療装置本体の収納部に収納されたときに前記発光手段の発光状態を暗く制御することを特徴とする請求項１に記載の施療装置。
【発明の詳細な説明】
【技術分野】
【０００１】
この発明は、施療装置本体操作用の操作手段の操作状態を報知する発光手段が設けられた施療装置に関するものである。
【背景技術】
【０００２】
従来の施療装置としては、例えば椅子本体にエアバッグ等の施療手段を組み込んだ椅子式マッサージ装置や、マット本体にエアバッグ等の施療手段を組み込んだマット式マッサージ装置等が知られている。
【０００３】
この種の施療装置では、エア給排気装置をリモコンで操作して、エア給排気装置からエアバッグに対してエアの給排気を行わせることにより、エアバッグを膨縮させて、利用者の身体をエアバッグでマッサージするようになっているのが一般的である。
【０００４】
しかも、このリモコンには、例えば電源のＯＮ・ＯＦＦやマッサージ部位或いはマッサージコース等に対応するスイッチが設けられていると共に、各スイッチに対応してＬＥＤ等の発光手段がスイッチの操作状態を利用者に報知するために設けられているのが普通である（特許文献１参照）。
【特許文献１】特開平１１−１７８８７７号公報
【発明の開示】
【発明が解決しようとする課題】
【０００５】
しかしながら、従来のマッサージ装置のリモコンでは、スイッチの操作状態、例えばスイッチの操作によるマッサージ状態が異なっても、例えばマッサージ動作が強であっても弱であっても、ＬＥＤの発光時の明るさが一定であるため、マッサージ状態等の動作状態（動作内容）が分からないものであった。
【０００６】
また、このような動作状態をＬＥＤの発光・消灯や点滅等によって報知することも考えられているが、ＬＥＤの点滅制御を行った場合、ＬＥＤによる消費電力が多くなるという問題がある。
【０００７】
更に、マッサージ装置のリモコンでは、リモコンに設けられた主電源用のスイッチがＯＮしている場合、このスイッチに対応する主電源ＯＮ・ＯＦＦ報知用ＬＥＤが発光するようになっている。
【０００８】
しかし、このリモコンがマッサージ装置本体（施療装置本体）に設けられた収納部に収納されて、主電源ＯＮ・ＯＦＦ報知用ＬＥＤが見えなくなっても、主電源ＯＮ・ＯＦＦ報知用ＬＥＤは発光しているため、無駄な電力を消費していた。
【０００９】
そこで、この発明は、発光手段の消費電力が少なく且つ発光手段により施療装置本体の操作手段の操作状態を視覚的に確認できる施療装置を提供することを目的とするものである。
【課題を解決するための手段】
【００１０】
この目的を達成するため、この発明は、施療装置本体と、前記施療装置本体を操作するための操作手段と、前記操作手段の操作状態を報知する発光手段と、前記スイッチの操作状態に応じて前記発光手段の発光制御を行う制御手段を有する施療装置であって、前記制御手段は、前記操作手段の操作状態に対応して前記発光手段の明るさを変化させる施療装置としたことを特徴とする。
【発明の効果】
【００１１】
この構成によれば、発光手段の消費電力が少なく且つ発光手段により前記施療装置本体の操作手段の操作状態を視覚的に確認することができる。
【発明を実施するための最良の形態】
【００１２】
以下、この発明の実施の形態を図面に基づいて説明する。
【００１３】
図１は、この発明の実施の形態の椅子式マッサージ装置（施療装置）Ａを示したものである。この椅子式マッサージ装置Ａは、マッサージ装置本体（施療装置本体）１と、マッサージ装置本体１を操作するためのリモコン２（図１，図２参照）を有する。
＜マッサージ装置本体１＞
このマッサージ装置本体１は図１に示したように椅子３を有する。この椅子３は、支持脚４と、支持脚４の上に設けられた肘掛け５と、支持脚４に支持された座部６と、座部６の後縁部に取り付けられた背凭れ７と、座部６の前縁部に取り付けられたオットマン（足載せ台）８を有する。
【００１４】
そして、背凭れ７の前面（人体当接面）７ａにはエアバッグ９ａ〜９ｅ（施療手段）がマッサージ部位に対応して装着され、座部６の上面（人体当接面）６ａにはエアバッグ９ｆ，９ｇがマッサージ部位に対応して装着され、オットマン８の脚配設溝８ａの側面（人体当接面）８ｂにはエアバッグ９ｈ〜９ｋがマッサージ部位に対応して装着されている。また、座部６の上面（人体当接面）にはヒータ１０が施療手段として配設されている。
【００１５】
尚、この構成については、周知のものを採用できるので、その詳細な説明は省略する。また、肘掛け５の外側面には、図１，図３に示したように上方に開放するリモコン収納部１１が設けられている。１１ａはリモコン収納部１１の収納空間である。そして、肘掛け５の外側面には、リモコン収納部１１内に位置させてリモコン２が収納されたのを検出する収納検出スイッチ（操作手段）１２が設けられている。
【００１６】
また、座部６の下方にはエア給排気装置１３が配設されている。このエア給排気装置１３には電源コード１４が接続されている。１４ａは電源コード１４の自由端部に設けられたプラグである。また、エア給排気装置１３には主電源スイッチ（操作手段）１５が設けられている。
【００１７】
このエア給排気装置１３は、図４に示したように演算制御回路等の制御回路（制御手段）１６と、エアバッグ９ａ〜９ｋに対してエアの給排気を行うエア給排気部１７を有する。このエア給排気部１７は、制御回路１６により制御されるエアポンプ（エア供給手段）１８と、エアポンプ１８から吐出されるエアをエアバッグ９ａ〜９ｋに対して給排気を行ってエアバッグ９ａ〜９ｋを膨縮させるエア給排気切換手段１９を有する。
【００１８】
このエア給排気切換手段１９としては、エアバッグ９ａ〜９ｋに対してエアの給排気を選択的に行うことができる周知のロータリバルブ、或いはエアバッグ９ａ〜９ｋに対してエアの給排気を選択的に行うことができる複数の電磁弁等を用いることができる。この構成についても周知の構成を採用できるので、その詳細な説明は省略する。
【００１９】
尚、収納スイッチ１２は制御回路１６に接続され、主電源スイッチ１５は制御回路１６の図示しない電源回路に接続されている。また、ヒータ１０は制御回路１６により通電制御されるようになっている。
＜リモコン２＞
また、リモコン２には、図２に示したように、マッサージの入／切スイッチ（操作手段）２０，マッサージ順番選択用のコーススイッチ（操作手段）２１，マッサージの強さ（強，弱）選択用の強さ選択スイッチ（操作手段）２２，ヒータＯＮ・ＯＦＦ用のヒータスイッチ（操作手段）２３，スライド式のボリューム操作ツマミ（操作手段）２４が設けられている。
【００２０】
しかも、リモコン２には、コーススイッチ２１の側方に並設された複数のマッサージコース表示用ＬＥＤ（マッサージコース表示用発光部）２５，２６，２７が設けられている。
【００２１】
またリモコン２には、強さ選択スイッチ２２の下部に隣接配置されたマッサージ強さ表示用ＬＥＤ（マッサージ強さ表示用発光部）２８、ヒータスイッチ２３の側方に隣接配置されたヒータ動作表示用ＬＥＤ（ヒータ動作表示用発光部）２９が設けられている。
【００２２】
更にリモコン２には、主電源ＯＮ・ＯＦＦ確認用ＬＥＤ（主電源ＯＮ・ＯＦＦ確認用発光部）３０が設けられている。
【００２３】
また、リモコン２内には、図４に示した演算制御回路等の制御回路（制御手段）３１を有する。この制御回路３１には、入／切スイッチ２０，コーススイッチ２１，強さ選択スイッチ２２等からのＯＮ・ＯＦＦ信号が入力されるようになっている。
【００２４】
そして、制御回路３１は、コーススイッチ２１を押すごとに複数のエアバッグ９ａ〜９ｋの膨張・収縮の選択及びその膨張・収縮順序（マッサージコース）を変更させるための信号を制御回路１６に入力すると共に、マッサージコース表示用ＬＥＤ２５，２６，２７を順に点灯制御して、選択されたマッサージコースの内容を利用者に報知するようになっている。
【００２５】
また、制御回路３１は、マッサージ強さ表示用ＬＥＤ２８、ヒータ動作表示用ＬＥＤ２９及び主電源ＯＮ・ＯＦＦ確認用ＬＥＤ３０を発光制御するようになっている。即ち、制御回路３１には、図５〜図７に示したようにＬＥＤ２８，２９，３０等の明るさを変えるための動作回路（動作制御回路）３２，３３，３４が設けられている。
（マッサージ強さとその表示の動作回路３２）
図５の動作回路３２において、５ｖの電源とアースされたマッサージ強さ表示用ＬＥＤ２８との間には、スイッチングトランジスタ（スイッチング素子）Ｑ１，抵抗Ｒ１が直列に接続されていると共に、このスイッチングトランジスタ（スイッチング素子）Ｑ１，抵抗Ｒ１と並列に配列されたスイッチングトランジスタ（スイッチング素子）Ｑ２，抵抗Ｒ２（Ｒ１＞Ｒ２）が直列に接続されている。
【００２６】
このスイッチングトランジスタＱ１，Ｑ２のベースには強さスイッチ２２を操作する毎（押す毎に）交互にベース電圧が交互に印加されて、スイッチングトランジスタＱ１，Ｑ２が交互にＯＮ・ＯＦＦされるようになっている。しかも、この強さスイッチ２２の操作信号は、制御回路３１を介して制御回路１６に入力されるようになっている。
【００２７】
そして、スイッチングトランジスタＱ１がＯＮし且つスイッチングトランジスタＱ２がＯＦＦさせられたときには、５ｖの電源電圧がスイッチングトランジスタＱ１及び抵抗Ｒ１を介してマッサージ強さ表示用ＬＥＤ２８に印加され、マッサージ強さ表示用ＬＥＤ２８が図９の「発明」の「弱の時」のように暗く点灯するようになっている。
【００２８】
一方、スイッチングトランジスタＱ１がＯＦＦし且つスイッチングトランジスタＱ２がＯＮしたときには、５ｖの電源電圧がスイッチングトランジスタＱ２及び抵抗Ｒ２を介してマッサージ強さ表示用ＬＥＤ２８に印加され、マッサージ強さ表示用ＬＥＤ２８が図９の「発明」の「強の時」のように明るく点灯するようになっている。
【００２９】
また、制御回路１６は、図４の制御回路３１の動作回路３２（図５参照）によりマッサージ強さ表示用ＬＥＤ２８が暗く点灯させられたときには、強さスイッチ２２の操作信号からの信号を基にエア給排気部１７すなわちエアポンプ１８及びエア給排気切換手段１９を作動制御して、エアバッグ９ａ〜９ｋの膨張のためのエア供給量を少なくして、エアバッグ９ａ〜９ｋによるマッサージを弱くするようになっている。
【００３０】
一方、制御回路１６は、図４の制御回路３１の動作回路３２（図５参照）によりマッサージ強さ表示用ＬＥＤ２８が明るく点灯させられたときには、強さスイッチ２２の操作信号からの信号を基にエア給排気部１７すなわちエアポンプ１８及びエア給排気切換手段１９を作動制御して、エアバッグ９ａ〜９ｋの膨張のためのエア供給量を多くして、エアバッグ９ａ〜９ｋによるマッサージを強くするようになっている。
【００３１】
尚、従来は、図９に示したようにマッサージ強さ表示用ＬＥＤが「従来」の「弱の時」も「強の時も」同じ明るさで点灯させられるようになっているので、エアバッグ９ａ〜９ｋの膨張・収縮によるマッサージ強さが「強」なのか「弱」なのかの区別がしにくかった。
【００３２】
しかし、本実施例では、エアバッグ９ａ〜９ｋの膨張・収縮によるマッサージ強さが「弱」のとき、マッサージ強さ表示用ＬＥＤ２８が図９の「発明」の「弱の時」のように暗く点灯する一方、エアバッグ９ａ〜９ｋの膨張・収縮によるマッサージ強さが「強」のとき、マッサージ強さ表示用ＬＥＤ２８が図９の「発明」の「強の時」のように明るく点灯するので、エアバッグ９ａ〜９ｋの膨張・収縮によるマッサージ強さが「強」なのか「弱」なのかの区別を容易に視覚的に確認できる。
（主電源のＯＮ・ＯＦＦとその表示の動作回路３３）
図６の動作回路３３において、５ｖの電源とアースされた主電源ＯＮ・ＯＦＦ確認用ＬＥＤ３０との間には、抵抗Ｒ３が接続されていると共に、この抵抗Ｒ３と並列に配列されたスイッチングトランジスタ（スイッチング素子）Ｑ４，抵抗Ｒ４（Ｒ３＞Ｒ４）が直列に接続されている。
【００３３】
尚、動作回路３３は、エア給排気装置１３の電源コード１４に設けたプラグ１４ａを図示しない商用電源のコンセント（図示せず）に接続すると、主電源ＯＮ・ＯＦＦ確認用ＬＥＤ３０を点灯させて、スイッチングトランジスタＱ４のＯＮ・ＯＦＦに拘わらず、エア給排気装置１３が商用電源に接続されていることを報知するようになっている。
【００３４】
また、制御回路１６は、主電源スイッチ１５がＯＦＦされているとき、制御回路３１に主電源スイッチ１５のＯＮ信号を入力しない状態となっている。この状態で制御回路３１は、スイッチングトランジスタＱ４のベースに電圧を印加せずに、スイッチングトランジスタＱ４をＯＦＦさせるようになっている。
【００３５】
一方、制御回路１６は、主電源スイッチ１５がＯＮされているとき、制御回路３１に主電源スイッチ１５のＯＮ信号を入力している状態となっている。この状態で制御回路３１は、スイッチングトランジスタＱ４のベースに電圧を印加して、スイッチングトランジスタＱ４をＯＮさせるようになっている。
【００３６】
そして、スイッチングトランジスタＱ４がＯＦＦさせられたときには、５ｖの電源電圧が抵抗Ｒ３を介して主電源ＯＮ・ＯＦＦ確認用ＬＥＤ３０に印加され、主電源ＯＮ・ＯＦＦ確認用ＬＥＤ３０が図１０（ａ）のように暗く点灯するようになっている。
【００３７】
一方、スイッチングトランジスタＱ４がＯＮしたときには、５ｖの電源電圧が抵抗Ｒ３を介して主電源ＯＮ・ＯＦＦ確認用ＬＥＤ３０に印加されると共にスイッチングトランジスタＱ４及び抵抗Ｒ４を介して主電源ＯＮ・ＯＦＦ確認用ＬＥＤ３０に印加され、主電源ＯＮ・ＯＦＦ確認用ＬＥＤ３０が図１０（ｂ）のように明るく点灯するようになっている。
【００３８】
尚、図では、主電源ＯＮ・ＯＦＦ確認用ＬＥＤ３０の色が濃いほど、明るく点灯していることを意味する。以下、同様にしＬＥＤの明るさの図示を行う。
（ヒータの加熱強さとその表示の動作回路３４）
図７の動作回路３４において、５ｖの電源とアースされたヒータ動作表示用ＬＥＤ２９との間には、スイッチングトランジスタ（スイッチング素子）Ｑ５，操作手段としてのボリューム（可変抵抗）ＶＲおよび抵抗Ｒ５が直列に接続されている。このボリュームＶＲは、ボリューム操作ツマミ２４のスライド操作により抵抗値が変化するようになっている。
【００３９】
また、制御回路３１は、ヒータスイッチ２３を押す毎にスイッチングトランジスタＱ５のベース電圧の印加と印加停止を交互に繰り返して、スイッチングトランジスタＱ５を交互にＯＮ・ＯＦＦさせるようになっている。そして、スイッチングトランジスタＱ５がＯＮしているときにはヒータ動作表示用ＬＥＤ２９が点灯させられ、スイッチングトランジスタＱ５がＯＦＦしているときにはヒータ動作表示用ＬＥＤ２９が消灯させられるようになっている。
【００４０】
しかも、スイッチングトランジスタＱ５がＯＮしているときにおいて、ボリューム操作ツマミ２４が上下にスライド操作させられると、図１１（ｃ）のようにボリュームＶＲの抵抗値が増減させられて、ヒータ動作表示用ＬＥＤ２９の明るさが増減させられるようになっている。
【００４１】
即ち、スイッチングトランジスタＱ５がＯＮしているときにおいて、ボリューム操作ツマミ２４が図１１（ａ）のように下側に位置するときには、図１１（ｃ）のようにボリュームＶＲの抵抗値が小さくさせられて、ヒータ動作表示用ＬＥＤ２９が暗く点灯させられるようになっている。
【００４２】
一方、スイッチングトランジスタＱ５がＯＮしているときにおいて、ボリューム操作ツマミ２４が図１１（ｂ）のように上側に位置するときには、図１１（ｃ）のようにボリュームＶＲの抵抗値が大きくさせられて、ヒータ動作表示用ＬＥＤ２９が明るく点灯させられるようになっている。
【００４３】
その上、制御回路３１は、ボリューム操作ツマミ２４のスライド操作によりボリュームＶＲの抵抗値が増減操作（変化）させられたときに、このボリュームＶＲの抵抗値の増減操作信号を制御回路１６に入力させるようになっている。そして、制御回路１６は、このボリュームＶＲの抵抗値の増減操作信号が入力されると、ヒータ１０への通電量を増減制御して、ヒータ１０の発熱量を増減制御するようになっている。即ち、ヒータ１０への通電量が小さくヒータ１０の発熱量が小さい場合にはヒータ動作表示用ＬＥＤ２９が暗く点灯させられ、ヒータ１０への通電量が大きくヒータ１０の発熱量が大きい場合にはヒータ動作表示用ＬＥＤ２９が明るく点灯させられるようになっている。
（リモコン２の収納時の主電源のＯＮ・ＯＦＦとその表示の動作回路３３）
また、図８において、５ｖの電源と抵抗Ｒ４との間にはリモコン検出用の収納検出スイッチ（収納検出手段）１２が介装されている。この収納検出スイッチ１２は、図６のスイッチングトランジスタＱ４に変えて設けたものであり、通常はＯＮしていてリモコン２により押されるとＯＦＦするようになっている。
【００４４】
これにより通常は、５ｖの電源電圧が抵抗Ｒ３を介して主電源ＯＮ・ＯＦＦ確認用ＬＥＤ３０に印加されると共に収納検出スイッチ１２及び抵抗Ｒ４を介して主電源ＯＮ・ＯＦＦ確認用ＬＥＤ３０に印加される。この場合、主電源ＯＮ・ＯＦＦ確認用ＬＥＤ３０が図１０（ｂ）のように明るく点灯するようになっている。
【００４５】
一方、リモコン２がリモコン収納部１１の収納空間１１ａ内に収納（挿入）されたとき、収納検出スイッチ１２が収納されるリモコン２により押されてＯＦＦし、主電源ＯＮ・ＯＦＦ確認用ＬＥＤ３０が図１０（ａ）のように暗く点灯する（消灯することも含む）ようになっている。
【００４６】
これにより、利用者がリモコン２を見ていない収納時には、主電源ＯＮ・ＯＦＦ確認用ＬＥＤ３０が暗くなるので、電力の消費を低減させることができる。
【００４７】
尚、リモコン２がリモコン収納部１１の収納空間１１ａ内に収納（挿入）されたとき、収納検出スイッチ１２がリモコン２により押されてＯＮ又はＯＦＦすることにより、リモコン２の収納を検出するように設定しておいて、リモコン２の収納が検出されたときに、各ＬＥＤ２５〜３０の点灯状態を暗くするように設定しておくこともできる。
【００４８】
この場合には、実際にマッサージは制御回路１６により実行させ、リモコン２のＬＥＤ２５〜３０の点灯状態を暗くする（消灯することも含む）ことにより、更に電力の消費を低減させることができる。実際には、このように設定することにより、より消費電力の低減を図ることができる。
【００４９】
尚、コーススイッチ２１によりエア給排気装置１３によるエアバッグ９ａ〜９ｋの膨張・収縮順序の選択が行われ、この選択に応じてマッサージコース表示用ＬＥＤ（マッサージコース表示用発光部）２５，２６，２７のいずれかが点灯させられるようになっている。この点灯制御は制御回路１６により実行される。このマッサージコース表示用ＬＥＤ２５，２６，２７も、コーススイッチ２１の選択操作により明るく発光させたり、暗く発光させたりすることもできる。
【００５０】
以上説明したように、この発明の実施の形態の施療装置は、施療装置本体（マッサージ装置本体１）と、前記施療装置本体（マッサージ装置本体１）を操作するための操作手段（スイッチ１２，１５，２１〜２３，ボリュームＶＲ）と、前記操作手段（スイッチ１２，２１〜２３，ボリュームＶＲ）の操作状態を報知する発光手段（ＬＥＤ２５〜３０）と、前記操作手段（スイッチ１２，１５，２１〜２３，ボリュームＶＲ）の操作状態に応じて前記発光手段（ＬＥＤ２５〜３０）の発光制御を行う制御手段（制御回路３１）を有する。しかも、前記制御手段（制御回路３１）は、前記操作手段（スイッチ１２，１５，２１〜２３，ボリュームＶＲ）の操作状態に対応して前記発光手段（ＬＥＤ２５〜３０）の明るさを変化させるようになっている。
【００５１】
この構成によれば、発光手段（ＬＥＤ２５〜３０）の消費電力が少なく且つ発光手段（ＬＥＤ２５〜３０）により施療装置本体の操作手段（スイッチ１２，１５，２１〜２３，ボリュームＶＲ）の操作状態を視覚的に確認することができる。
【００５２】
尚、施療装置本体（マッサージ装置本体１）に設けられる施療手段は、エアで膨縮されるエアバッグであっても、このエアバッグに施療子を取り付けた構成であっても、或いは機械式のマッサージ手段や指圧手段の何れでも良い。
【００５３】
また、この発明の実施の形態の施療装置の前記制御手段（制御回路３１）は、前記操作手段であるスイッチ（１２，２１〜２３）の操作に伴う前記施療装置本体（マッサージ装置本体１）による施療動作が強いときには前記発光手段（ＬＥＤ２５〜３０）を明るく発光させ、前記スイッチ（１２，２１〜２３）操作に伴う前記施療装置本体（マッサージ装置本体１）による施療動作が弱いときには前記発光手段（ＬＥＤ２５〜３０）を暗く発光させるようになっている。
【００５４】
この構成によれば、スイッチの操作状態、即ち施療装置本体（マッサージ装置本体１）による施療動作が強いか否かを発光手段（ＬＥＤ２５〜３０）の発光の明暗によって視覚的に確認することができる。
【００５５】
更に、この発明の実施の形態の施療装置において、少なくとも前記操作手段（スイッチ１２，１５，２１〜２３，ボリュームＶＲ），前記発光手段（ＬＥＤ２５〜３０）はリモコン２に設けられている。しかも、前記制御手段（制御回路３１）は前記発光手段（ＬＥＤ２５〜３０）が発光している状態において前記リモコン２が施療装置本体（マッサージ装置本体１）の収納部（１１）に収納されたときに前記発光手段（ＬＥＤ２５〜３０）の発光状態を暗く制御するようになっている。
【００５６】
この構成によれば、操作手段（スイッチ１２，２１〜２３，ボリュームＶＲ）が操作されて発光手段（ＬＥＤ２５〜３０）が発光している状態においても、リモコンが施療装置本体（マッサージ装置本体１）の収納部に収納されたときには、発光手段（ＬＥＤ２５〜３０）の発光状態を暗く制御するので、発光手段の消費電力を少なくできる。
【００５７】
また、この発明の実施の形態の施療装置は、施療装置本体（マッサージ装置本体１）と、前記施療装置本体（マッサージ装置本体１）を操作するためのスイッチ（１２，２１〜２３）と、前記スイッチ（１２，２１〜２３）の操作状態を報知する発光手段（ＬＥＤ２５〜３０）と、前記スイッチ（１２，２１〜２３）の操作状態に応じて前記発光手段（ＬＥＤ２５〜３０）の発光制御を行う制御手段（制御回路３１）を有する。しかも、前記制御手段（制御回路３１）は、前記スイッチ（１２，２１〜２３）の操作状態に対応して前記発光手段（ＬＥＤ２５〜３０）の明るさを変化させるようになっている。
【００５８】
この構成によれば、発光手段（ＬＥＤ２５〜３０）の消費電力が少なく且つ発光手段（ＬＥＤ２５〜３０）によりスイッチ（１２，２１〜２３）の操作状態を視覚的に確認することができる。
【００５９】
また、この発明の実施の形態の施療装置の前記制御手段（制御回路３１）は、前記スイッチ（１２，２１〜２３）の操作に伴う前記施療装置本体（マッサージ装置本体１）による施療動作が強いときには前記発光手段（ＬＥＤ２５〜３０）を明るく発光させ、前記スイッチの操作に伴う前記施療装置本体（マッサージ装置本体１）による施療動作が弱いときには前記発光手段（ＬＥＤ２５〜３０）を暗く発光させるようになっている。
【００６０】
この構成によれば、スイッチの操作状態、即ち施療装置本体（マッサージ装置本体１）による施療動作が強いか否かを発光手段（ＬＥＤ２５〜３０）の発光の明暗によって視覚的に確認することができる。
【００６１】
更に、この発明の実施の形態の施療装置において、少なくとも前記スイッチ（１２，２５〜３０），前記発光手段（ＬＥＤ２５〜３０）はリモコン２に設けられている。しかも、前記制御手段（制御回路３１）は前記発光手段（ＬＥＤ２５〜３０）が発光している状態において前記リモコン２が施療装置本体（マッサージ装置本体１）の収納部（１１）に収納されたときに前記発光手段（ＬＥＤ２５〜３０）の発光状態を暗く制御するようになっている。
【００６２】
この構成によれば、スイッチ（１２，２５〜３０）が操作されて発光手段（ＬＥＤ２５〜３０）が発光している状態においても、リモコンが施療装置本体（マッサージ装置本体１）の収納部に収納されたときには、発光手段（ＬＥＤ２５〜３０）の発光状態を暗く制御するので、発光手段の消費電力を少なくできる。
【００６３】
尚、以上説明した実施例では、この発明に係る発光部の明るさの制御をリモコンに用いた例を示したが、マッサージ装置本体１の肘掛け等にリモコンと同様な操作パネルを設けて、この操作パネルに設けるＬＥＤ等の発光部の発光制御をリモコンと同様に行うこともできる。また、このリモコンの発光部の制御は、マット式マッサージ装置（施療装置）のリモコンに適用することもできる。
【００６４】
また、上述した実施例では、リモコン２に制御手段（制御回路３１）を設けている例を示したが、必ずしもリモコン２に制御手段（制御回路３１）を設ける必要はない。例えば、制御回路（制御手段）１６に制御回路（制御手段）３１の上述した機能を持たせることもできる。
【図面の簡単な説明】
【００６５】
【図１】この発明に係る椅子式マッサージ装置（施療装置）の斜視図である。
【図２】図１に示したリモコンの一例を示す説明図である。
【図３】図１のリモコン収納部の断面および収納部に設けられた検出スイッチを示す説明図である。
【図４】図１の椅子式マッサージ装置（施療装置）の制御回路図である。
【図５】この発明に係る発光部の一例を示す動作回路図である。
【図６】この発明に係る発光部の他の例を示す動作回路図である。
【図７】この発明に係る発光部の他の例を示す動作回路図である。
【図８】この発明に係る発光部の他の例を示す動作回路図である。
【図９】この発明に係る発光部の発光状態の一例を示す説明図である。
【図１０】この発明に係る発光部の発光状態の他の例を示す説明図である。
【図１１】この発明に係る発光部の発光状態の他の例を示す説明図である。
【符号の説明】
【００６６】
１…マッサージ装置本体（施療装置本体）
１１…リモコン収納部
１２…収納検出スイッチ（操作手段）
１５…主電源スイッチ（操作手段）
２１…コーススイッチ（操作手段）
２２…強さ選択スイッチ（操作手段）
２３…ヒータスイッチ（操作手段）
２５〜２７…マッサージコース表示用ＬＥＤ（発光部）
２８…マッサージ強さ表示用ＬＥＤ（発光部）
２９…ヒータ動作表示用ＬＥＤ（発光部）
３０…主電源ＯＮ・ＯＦＦ確認用ＬＥＤ（発光部）
３１…制御回路（制御手段）
ＶＲ…ボリューム（操作手段）
【図１】
2006212150.tif 000003
【図２】
2006212150.tif 000004
【図３】
2006212150.tif 000005
【図４】
2006212150.tif 000006
【図５】
2006212150.tif 000007
【図６】
2006212150.tif 000008
【図７】
2006212150.tif 000009
【図８】
2006212150.tif 000010
【図９】
2006212150.tif 000011
【図１０】
2006212150.tif 000012
【図１１】
2006212150.tif 000013